(57)【要約】【課題】効率的にネットワークへ接続できる通信装置及び制御方法を提供すること。【解決手段】スマートフォン１は、タッチスクリーンディスプレイ２と、ＷｉＭＡＸのネットワーク内で無線通信を行う第１の通信処理部３１と、複数の機器に共通のタイミングで発生する所定のイベントに応じてタッチスクリーンディスプレイ２の電源がオンになったことを契機としてネットワークエントリを行わず、所定のイベントとは異なるイベントに応じてタッチスクリーンディスプレイ２の電源がオンになったことを契機としてネットワークエントリを行う制御部３０と、を備える。【選択図】図５
2013243581.tif 000002
【特許請求の範囲】
【請求項１】
表示部と、
無線通信システムのネットワーク内で無線通信を行う通信部と、
複数の機器に共通のタイミングで発生する所定のイベントに応じて前記表示部の電源がオンになったことを契機として、前記ネットワークに対してネットワークエントリを行わず、前記所定のイベントとは異なるイベントに応じて前記表示部の電源がオンになったことを契機として、前記ネットワークエントリを行う制御部と、を備える通信機器。
【請求項２】
前記制御部は、前記所定のイベントに応じて前記表示部の電源がオンになったことを契機として、前記無線通信システムのサーチを行った後、当該サーチの結果に関わらず前記ネットワークエントリを行わない請求項１に記載の通信機器。
【請求項３】
前記制御部は、前記所定のイベントに応じて前記表示部の電源がオンになったことを契機として、前記無線通信システムのサーチを行わない請求項１に記載の通信機器。
【請求項４】
前記制御部は、前記所定のイベントに応じて前記表示部の電源がオンになった後、所定時間が経過するまでに前記表示部の電源がオフにならなかった場合、前記所定時間が経過したことを契機として前記ネットワークエントリを行い、前記所定時間が経過するまでに前記表示部の電源がオフになった場合、前記所定時間が経過したことを契機として前記ネットワークエントリを行わない請求項１から請求項３のいずれか１項に記載の通信機器。
【請求項５】
前記ネットワークエントリは、第１のサーバによる認証処理、及び第２のサーバによるＩＰアドレスの取得処理を含む請求項１から請求項４のいずれか１項に記載の通信機器。
【請求項６】
表示部と、無線通信システムのネットワーク内で無線通信を行う通信部とを備える通信機器の制御方法であって、
制御部が、複数の機器に共通のタイミングで発生する所定のイベントに応じて前記表示部の電源がオンになったことを契機として、前記ネットワークに対してネットワークエントリを行わず、前記所定のイベントとは異なるイベントに応じて前記表示部の電源がオンになったことを契機として、前記ネットワークエントリを行う制御方法。
【発明の詳細な説明】
【技術分野】
【０００１】
本発明は、無線通信を行う通信装置及び制御方法に関する。
【背景技術】
【０００２】
従来、携帯電話機、スマートフォン又はタブレット端末等の通信機器は、ＷｉＭＡＸ又はＣＤＭＡ等の無線通信システムのネットワークを用いてデータ通信を行っている。
また、このような通信機器は、無線通信システムをロストすると、ロストしたタイミングで再度ネットワークへの接続を試みる（例えば、特許文献１参照）。
【先行技術文献】
【特許文献】
【０００３】
【特許文献１】特開２００４−２６０５０３号公報
【発明の概要】
【発明が解決しようとする課題】
【０００４】
ところで、スマートフォン又はタブレット端末等、タッチスクリーンディスプレイを備える通信装置は、高機能化に伴ってアプリケーションの実行、表示及び通信等に多くの電力を必要とする傾向にあるため、特に携帯型の通信装置では、ユーザの利便性を低下させることなく消費電力を低減させることが求められている。
【０００５】
しかしながら、ユーザが通信装置を利用するユースケースによっては、ディスプレイの電源がオフで操作入力を受け付けずデータ通信を行っていない場合に、ネットワークへ接続中又はサーチ中となって、通信機器の電力が無用に消費されていた。
【０００６】
本発明は、効率的にネットワークへ接続できる通信装置及び制御方法を提供することを目的とする。
【課題を解決するための手段】
【０００７】
本発明に係る通信機器は、表示部と、無線通信システムのネットワーク内で無線通信を行う通信部と、複数の機器に共通のタイミングで発生する所定のイベントに応じて前記表示部の電源がオンになったことを契機として、前記ネットワークに対してネットワークエントリを行わず、前記所定のイベントとは異なるイベントに応じて前記表示部の電源がオンになったことを契機として、前記ネットワークエントリを行う制御部と、を備える。
【０００８】
また、前記制御部は、前記所定のイベントに応じて前記表示部の電源がオンになったことを契機として、前記無線通信システムのサーチを行った後、当該サーチの結果に関わらず前記ネットワークエントリを行わないこととしてよい。
【０００９】
また、前記制御部は、前記所定のイベントに応じて前記表示部の電源がオンになったことを契機として、前記無線通信システムのサーチを行わないこととしてよい。
【００１０】
また、前記制御部は、前記所定のイベントに応じて前記表示部の電源がオンになった後、所定時間が経過するまでに前記表示部の電源がオフにならなかった場合、前記所定時間が経過したことを契機として前記ネットワークエントリを行い、前記所定時間が経過するまでに前記表示部の電源がオフになった場合、前記所定時間が経過したことを契機として前記ネットワークエントリを行わないこととしてよい。
【００１１】
また、前記ネットワークエントリは、第１のサーバによる認証処理、及び第２のサーバによるＩＰアドレスの取得処理を含んでよい。
【００１２】
本発明に係る制御方法は、表示部と、無線通信システムのネットワーク内で無線通信を行う通信部とを備える通信機器の制御方法であって、制御部が、複数の機器に共通のタイミングで発生する所定のイベントに応じて前記表示部の電源がオンになったことを契機として、前記ネットワークに対してネットワークエントリを行わず、前記所定のイベントとは異なるイベントに応じて前記表示部の電源がオンになったことを契機として、前記ネットワークエントリを行う。
【発明の効果】
【００１３】
本発明によれば、通信装置は、効率的にネットワークへ接続できる。
【図面の簡単な説明】
【００１４】
【図１】実施形態に係るスマートフォンの外観を示す斜視図である。
【図２】実施形態に係るスマートフォンの外観を示す正面図である。
【図３】実施形態に係るスマートフォンの外観を示す背面図である。
【図４】ホーム画面の一例を示す図である。
【図５】実施形態に係るスマートフォンの機能を示すブロック図である。
【図６】ネットワークエントリの第１の例を示す図である。
【図７】ネットワークエントリの第２の例を示す図である。
【図８】ネットワークエントリの第３の例を示す図である。
【図９】実施形態に係るスマートフォンにおける処理を示すフローチャートである。
【発明を実施するための形態】
【００１５】
本発明を実施するための実施形態を、図面を参照しつつ詳細に説明する。以下では、タッチスクリーンディスプレイを備える通信装置の一例として、スマートフォンについて説明する。
【００１６】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１７】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００１８】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００１９】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２０】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２１】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２２】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２３】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２４】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２５】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２６】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２７】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００２８】
スマートフォン１は、タッチスクリーン２Ｂを介して判別するこれらのジェスチャにしたがって動作を行う。したがって、利用者にとって直感的で使いやすい操作性が実現される。判別されるジェスチャにしたがってスマートフォン１が行う動作は、タッチスクリーンディスプレイ２に表示されている画面に応じて異なる。
【００２９】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３０】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３１】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則にしたがって配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定にしたがって任意の画像が壁紙４１として決定される。
【００３２】
スマートフォン１は、ホーム画面の数を増減することができる。スマートフォン１は、例えば、ホーム画面の数を利用者による設定にしたがって決定する。スマートフォン１は、ホーム画面を表示する場合、ホーム画面の数が複数であっても、それらのうちから選択された１つをディスプレイ２Ａに表示する。
【００３３】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３４】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３５】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３６】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００３７】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３８】
図５は、スマートフォン１の構成を示すブロック図である。
スマートフォン１は、制御部３０と、第１の通信処理部３１と、第１のアンテナ部３２と、第２の通信処理部３３と、第２のアンテナ部３４とを備える。なお、スマートフォン１は、上述した構成要素以外にもマイク等の他の構成要素を備えている。
【００３９】
第１の通信処理部３１は、第１の通信システムのネットワークで無線通信を行う。第２の通信処理部３３は、第２の通信システムのネットワークで無線通信を行う。なお、以下では、第１の通信処理部３１による通信は、第２の通信処理部３３による通信よりも優先度を高く設定してあるので、上位ベアラ通信ともいう。また、第２の通信処理部３３による通信は、下位ベアラ通信ともいう。
【００４０】
以下、第１の通信システムの通信方式は、ＩＥＥＥ８０２．１６に準拠し、第２の通信システムの通信方式は、ＩＭＴ−２０００標準に準拠しているものとする。具体的には、第１の通信システムは、ＷｉＭＡＸである。また、第２の通信システムは、ＣＤＭＡ（例えば、ＣＤＭＡ２０００＿１ｘ、Ｗ−ＣＤＭＡ等）である。
【００４１】
この場合、スマートフォン１は、ＷｉＭＡＸがロストしてＣＤＭＡで通信を行っている際はもちろん、ＷｉＭＡＸで通信を行っている際も、ＣＤＭＡではページングの間欠受信を行っており、着信データ又はプッシュ通信の一斉報知データ等を受信できる。
【００４２】
制御部３０は、タッチスクリーンディスプレイ２の電源がオフの間に、ＷｉＭＡＸとの接続が切断されている（ロストしている）場合、タッチスクリーンディスプレイ２の電源がオンになると、ＷｉＭＡＸのサーチを行い、後述する特定の場合を除いて、ネットワークエントリのシーケンスを実行する。
【００４３】
タッチスクリーンディスプレイ２の電源がオンになるタイミングは、ユーザからの操作入力、音声若しくはメール等の着信、ファームウェアアップデート確認、プッシュ通信や時刻に応じたアプリケーションの起動等のタイミングがある。
【００４４】
また、ネットワークエントリとは、ＷｉＭＡＸへの接続を確立する手順であるが、制御部３０は、基地局との間で無線を確立した後、認証サーバ（第１のサーバ）による認証処理、及びＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ（第２のサーバ）によるＩＰアドレスの取得処理を行う。
【００４５】
ここで、緊急地震速報、津波警報、災害・避難情報等の一斉配信情報は、多数の通信装置へ一斉に配信されるため、このような一斉配信データを受信するイベントが発生すると、多数の通信装置は、タッチスクリーンディスプレイの電源がオンになることを契機として、同時期にネットワークエントリを試みることになる。また、アラームは、例えば朝の０分や３０分等、特定の時刻に設定されることが多いため、同様に多数の通信装置が同時期にネットワークエントリを試みる可能性がある。
これら複数の機器に共通のタイミングで発生するイベントを、以下では所定のイベントと呼ぶ。
【００４６】
ところが、通常はネットワークエントリの際にのみ必要となる認証サーバ及びＤＨＣＰサーバの数は、基地局の数に比べて少ない。このため、所定のイベントに応じて多数の通信装置が同時期にネットワークエントリを試みると、各サーバで処理が輻輳し、ネットワークエントリが失敗したり、ネットワークがダウンしたりする可能性がある。
【００４７】
そこで、制御部３０は、所定のイベントに応じてタッチスクリーンディスプレイ２の電源がオンになったことを契機としては、ＷｉＭＡＸのネットワークに対してネットワークエントリを行わない。一方、所定のイベントとは異なるイベントに応じてタッチスクリーンディスプレイ２の電源がオンになったことを契機としては、ＷｉＭＡＸのネットワークエントリを行う。
【００４８】
また、制御部３０は、所定のイベントに応じてタッチスクリーンディスプレイ２の電源がオンになったとき、各イベントに共通の処理としてＷｉＭＡＸのサーチを行った後、このタイミングでは、サーチの結果に関わらずネットワークエントリを行わない。
【００４９】
さらに、制御部３０は、所定のイベントに応じてタッチスクリーンディスプレイ２の電源がオンになると、所定時間（例えば、２分間）のタイマをセットする。そして、このタイマが満了して所定時間が経過するまでにタッチスクリーンディスプレイ２の電源がオフにならなかった場合、制御部３０は、所定時間が経過したことを契機として、ネットワークエントリを行う。
【００５０】
一方、所定時間が経過する前にタッチスクリーンディスプレイ２の電源がオフになると、制御部３０は、タイマを解除し、所定時間が経過したことを契機とするネットワークエントリを行わない。
この場合、制御部３０は、次にタッチスクリーンディスプレイ２の電源がオンとなった際に、イベントの種類に応じて、改めてネットワークエントリを行うか否かを判断する。
【００５１】
図６は、タッチスクリーンディスプレイ２の電源がオンになったことに伴うネットワークエントリの第１の例を示す図である。
【００５２】
スマートフォン１は、ＷｉＭＡＸに接続中、時刻ｔ１において、タッチスクリーンディスプレイ２の電源がオフになった後、時刻ｔ２において、ＷｉＭＡＸをロストして圏外になった。
【００５３】
時刻ｔ３において、所定のイベントとは異なる通常のイベントによって、タッチスクリーンディスプレイ２の電源がオンになると、制御部３０は、ＷｉＭＡＸの圏内であればネットワークエントリを開始し、通信接続を確立する。
【００５４】
図７は、タッチスクリーンディスプレイ２の電源がオンになったことに伴うネットワークエントリの第２の例を示す図である。
【００５５】
スマートフォン１は、ＷｉＭＡＸに接続中、時刻ｔ４において、タッチスクリーンディスプレイ２の電源がオフになった後、時刻５において、ＷｉＭＡＸをロストして圏外になった。
【００５６】
時刻ｔ６において、所定のイベントによって、タッチスクリーンディスプレイ２の電源がオンになると、制御部３０は、この時点でＷｉＭＡＸへのネットワークエントリを開始せず、２分間のタイマをセットする。
【００５７】
そして、タッチスクリーンディスプレイ２の電源がオフになることなく２分が経過した時刻ｔ７においてタイマが満了すると、制御部３０は、ＷｉＭＡＸの圏内であればネットワークエントリを開始し、通信接続を確立する。
【００５８】
図８は、タッチスクリーンディスプレイ２の電源がオンになったことに伴うネットワークエントリの第３の例を示す図である。
【００５９】
スマートフォン１は、ＷｉＭＡＸに接続中、時刻ｔ８において、タッチスクリーンディスプレイ２の電源がオフになった後、時刻９において、ＷｉＭＡＸをロストして圏外になった。
【００６０】
時刻ｔ１０において、所定のイベントによって、タッチスクリーンディスプレイ２の電源がオンになると、制御部３０は、この時点でＷｉＭＡＸへのネットワークエントリを開始せず、２分間のタイマをセットする。
【００６１】
タイマが満了する前の時刻ｔ１１において、タッチスクリーンディスプレイ２の電源がオフになると、制御部３０は、タイマをリセットするので、時刻ｔ１０から２分が経過した時刻ｔ１２を検出しない。
【００６２】
その後、時刻ｔ１３において、通常のイベントによってタッチスクリーンディスプレイ２の電源がオンになると、上記第１のタイミング（図６）と同様に、ＷｉＭＡＸの圏内であればネットワークエントリを開始し、通信接続を確立する。
【００６３】
ここで、第２の例の時刻ｔ６と、第３の例の時刻ｔ１０とが非常に近い時刻だとしても、ネットワークエントリを開始する時刻ｔ７とｔ１３とは十分に離れているので、各サーバでの処理タイミングが異なり、輻輳が抑制される。
また、この時刻ｔ１３で発生したイベントは、スマートフォン１でのみ独立して発生した通常のイベントであるため、複数の通信装置でそれぞれタイミングが異なる。したがって、各サーバにおける処理タイミングが分散される。
なお、第３の例では、時刻ｔ１３が時刻ｔ１２より後になっているが、時刻ｔ１３が時刻ｔ１２より前であった場合においても、制御部３０は、同様の処理を行う。
【００６４】
図９は、スマートフォン１におけるタッチスクリーンディスプレイ２の電源状態に応じた処理の流れを示すフローチャートである。
本処理は、タッチスクリーンディスプレイ２の電源がオンになった際に実行される。
【００６５】
ステップＳ１において、制御部３０は、タッチスクリーンディスプレイ２の電源がオンとなった契機であるイベントの種類（所定のイベント又は通常のイベント）を示すフラグを取得する。なお、所定のイベントの場合、フラグがオンであるものとする。
【００６６】
ステップＳ２において、制御部３０は、ＷｉＭＡＸをロスト中か否かを判定する。この判定がＹＥＳの場合、処理はステップＳ３に移る。一方、判定がＮＯの場合、既にＷｉＭＡＸに接続中であり、新たにネットワークエントリは不要なため、処理は終了する。
【００６７】
ステップＳ３において、制御部３０は、ステップＳ１で取得したフラグがオンであるか否かを判定する。この判定がＹＥＳの場合、処理はステップＳ４に移り、判定がＮＯの場合、処理はステップＳ９に移る。
【００６８】
ステップＳ４において、制御部３０は、所定時間（例えば、２分）を計時するタイマを起動する。
【００６９】
ステップＳ５において、制御部３０は、次回の処理に備えてフラグをオフに戻す。
【００７０】
ステップＳ６において、制御部３０は、タッチスクリーンディスプレイ２の電源がオフになったか否かを判定する。この判定がＹＥＳの場合、処理はステップＳ７に移り、判定がＮＯの場合、処理はステップＳ８に移る。
【００７１】
ステップＳ７において、制御部３０は、ステップＳ４で起動されたタイマを解除し、次にタッチスクリーンディスプレイ２の電源がオンになったときにネットワークエントリを行うように設定を戻す。
【００７２】
ステップＳ８において、制御部３０は、ステップＳ４で起動されたタイマが満了したか否かを判定する。この判定がＹＥＳの場合、処理はステップＳ９に移り、判定がＮＯの場合、処理はステップＳ６に戻る。
【００７３】
ステップＳ９において、制御部３０は、ＷｉＭＡＸの圏内であることを確認すると、ネットワークエントリを開始する。
【００７４】
以上のように、本実施形態によれば、スマートフォン１は、通常のイベントに応じてタッチスクリーンディスプレイ２の電源がオンになったことを契機として、ＷｉＭＡＸへのネットワークエントリを行う。したがって、スマートフォン１は、表示が行われずユーザが操作していないと判断される時間帯に、ネットワークエントリに関する処理負荷を低減し、適切なタイミングで効率的にネットワークへ接続できる。
【００７５】
さらに、スマートフォン１は、所定のイベントに応じてタッチスクリーンディスプレイ２の電源がオンになったことを契機としては、ＷｉＭＡＸへのネットワークエントリを行わない。したがって、同時期に多数の通信装置がネットワークエントリを試みることにより生じ得る認証サーバ及びＤＨＣＰサーバの輻輳を回避できる。
【００７６】
また、スマートフォン１は、タッチスクリーンディスプレイ２の電源がオンになると、イベントの種類によらずＷｉＭＡＸのサーチを行い、所定のイベントであった場合には、サーチの結果に関わらず、このタイミングではネットワークエントリを行わない。したがって、スマートフォン１は、イベントの種類によらず、サーチを行うという共通の処理を変更しないので、実装が容易である。
【００７７】
また、スマートフォン１は、所定のイベントに応じてタッチスクリーンディスプレイ２の電源がオンになった場合、所定時間経過後にネットワークエントリを行うように設定する。ただし、所定時間が経過する前にタッチスクリーンディスプレイ２の電源がオフになれば、スマートフォン１は、時間の経過を契機とはせず、再びタッチスクリーンディスプレイ２の電源がオンになったことをネットワークエントリの契機とするように設定する。
【００７８】
したがって、スマートフォン１は、所定のイベントを契機として多数の通信機器が同時期にネットワークエントリを試行するのを抑制できる。
さらに、所定時間が経過する前にタッチスクリーンディスプレイ２の電源がオフになったスマートフォン１がネットワークエントリを行うタイミングをずらすので、所定時間経過後に多数の通信機器が同時期にネットワークエントリを試行するのが抑制される。
また、タイミングをずらしてネットワークエントリ自体は実行されるので、スマートフォン１は、ＷｉＭＡＸを利用できない時間帯を極力低減し、ユーザの利便性の低下を抑制できる。
【００７９】
また、本実施形態では、スマートフォン１の構成と動作について説明したが、本発明は、通信装置において制御部が上述の処理を実行する制御方法、又は記憶部から読み出されて制御部により実行される制御プログラムとして構成されてよい。
【００８０】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００８１】
前述の実施形態では、制御部３０は、所定のイベントに応じてタッチスクリーンディスプレイ２の電源がオンになったことを契機として、イベントの種類によらない共通の処理としてＷｉＭＡＸのサーチを行ったが、これには限られない。制御部３０は、所定のイベントに応じてタッチスクリーンディスプレイ２の電源がオンになったことを契機として、ＷｉＭＡＸのサーチを行わないこととしてもよい。
これにより、スマートフォン１は、結果が利用されない無用なサーチ処理の負荷を低減できる。
【００８２】
また、スマートフォン１は、ＷｉＭＡＸ及びＣＤＭＡに対応するものとして説明したが、これには限られず、上位ベアラ又は下位ベアラは、他の無線通信システムであってもよいし、スマートフォン１は、３以上の無線通信システムに対応していてもよい。
【００８３】
また、前述の実施形態では、通信装置の一例として、スマートフォン１について説明したが、本発明の通信装置は、スマートフォンに限定されない。例えば、通信装置は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。また、通信装置は、デスクトップパソコン、テレビ受像器等の据え置き型の電子機器であってもよい。
【符号の説明】
【００８４】
１    スマートフォン（通信装置）
２    タッチスクリーンディスプレイ（表示部）
３０  制御部
３１  第１の通信処理部（通信部）
【図１】
2013243581.tif 000003
【図２】
2013243581.tif 000004
【図３】
2013243581.tif 000005
【図４】
2013243581.tif 000006
【図５】
2013243581.tif 000007
【図６】
2013243581.tif 000008
【図７】
2013243581.tif 000009
【図８】
2013243581.tif 000010
【図９】
2013243581.tif 000011